(57)【要約】【課題】プラズマ工程において、インピーダンスをマッチングする基板処理装置及びインピーダンスマッチング方法が提供される。【解決手段】本発明の一実施形態による基板処理装置は、高周波電力を発生させる高周波電源と、前記高周波電力を利用してプラズマ工程を遂行する工程チャンバーと、前記工程チャンバーの変化するインピーダンスを補償するマッチング回路と、前記工程チャンバーと前記マッチング回路との間に配置されて前記工程チャンバーのインピーダンスを減衰させるトランスフォーマと、を含む。【選択図】図２
2013098177.tif 000002
【特許請求の範囲】
【請求項１】
高周波電力を発生させる高周波電源と、
前記高周波電力を利用してプラズマ工程を遂行する工程チャンバーと、
前記工程チャンバーの変化するインピーダンスを補償するマッチング回路と、
前記工程チャンバー及び前記マッチング回路間に配置されて前記工程チャンバーのインピーダンスを減衰させるトランスフォーマと、を含む基板処理装置。
【請求項２】
前記トランスフォーマは、ルスロフ（Ｒｕｔｈｒｏｆｆ）型トランスフォーマである請求項１に記載の基板処理装置。
【請求項３】
前記ルスロフ型トランスフォーマは、インピーダンス変換比が１：４のアンアン（ｕｎｂａｌａｎｃｅｄ−ｔｏ−ｕｎｂａｌａｎｃｅｄ：不平衡−不平衡）トランスフォーマである請求項２に記載の基板処理装置。
【請求項４】
前記工程チャンバーのインピーダンスを測定するインピーダンス測定器と、
反射電力を測定する反射電力測定器と、
前記インピーダンス測定器及び前記反射電力測定器の測定値に基づいて前記マッチング回路を制御する制御器と、をさらに含む請求項１乃至請求項３のいずれか１項に記載の基板処理装置。
【請求項５】
前記マッチング回路は、互いに並列に配置される複数のキャパシター及び前記複数のキャパシターに各々連結された複数のスイッチを含み、
前記制御器は、前記測定値に基づいて制御信号を生成し、
前記マッチング回路は、前記制御信号にしたがって前記複数のスイッチを開閉する請求項４に記載の基板処理装置。
【請求項６】
前記マッチング回路は、逆Ｌタイプ（ｉｎｖｅｒｓｅ−Ｌ−ｔｙｐｅ）の回路である請求項１乃至請求項３のいずれか１項に記載の基板処理装置。
【請求項７】
前記工程チャンバーは、前記プラズマ工程が遂行される空間を提供するハウジング及び前記高周波電力を利用して前記ハウジングにプラズマを提供するプラズマ発生器を含む請求項１乃至請求項３のいずれか１項に記載の基板処理装置。
【請求項８】
前記プラズマ発生器は、前記ハウジングの内部に互いに離隔されて配置される複数の電極を含む容量結合形プラズマ（ＣＣＰ：Ｃａｐａｃｉｔｉｖｅｌｙ  ｃｏｕｐｌｅｄ  ｐｌａｓｍａ）発生器である請求項７に記載の基板処理装置。
【請求項９】
前記高周波電源、前記マッチング回路及び前記トランスフォーマは、複数であり、
前記高周波電源は、互いに異なる周波数の高周波電力を発生させ、
前記複数の電極には、前記互いに異なる周波数の高周波電力が印加され、
前記高周波電力が印加される電極毎に前記マッチング回路及び前記トランスフォーマが連結される請求項８に記載の基板処理装置。
【請求項１０】
高周波電力を利用してプラズマ工程を遂行する基板処理装置においてインピーダンスをマッチングする方法であって、
マッチング回路と工程チャンバーとの間に配置されたトランスフォーマが、前記プラズマ工程が進行される間における工程チャンバーのインピーダンスの変化量を減衰し、前記マッチング回路が減衰されたインピーダンスの変化量を補償してインピーダンス整合を遂行するインピーダンスマッチング方法。
【請求項１１】
前記トランスフォーマは、インピーダンス変換比が１：４のトランスフォーマであり、
前記マッチング回路は、前記工程チャンバーのインピーダンスの変化量の１／４を補償してインピーダンス整合を遂行する請求項１０に記載のインピーダンスマッチング方法。
【発明の詳細な説明】
【技術分野】
【０００１】
本発明は基板処理装置及びインピーダンスマッチング方法に関し、より詳細には、プラズマ工程においてインピーダンスをマッチングする基板処理装置及びインピーダンスマッチング方法に関する。
【背景技術】
【０００２】
プラズマで基板を処理するプラズマ工程において、プラズマの生成には高周波電力が利用されるため、インピーダンスマッチング（ｉｍｐｅｄａｎｃｅ  ｍａｔｃｈｉｎｇ：インピーダンス整合）が必須である。インピーダンス整合とは、効果的に電力を伝送するために、電力の送信側と受信側とのインピーダンスを同様に調整することである。プラズマ洗浄工程においては、高周波電力を提供する電源と、これを受信してプラズマを生成及び維持するチャンバーとの間で、インピーダンス整合が要求される。
【０００３】
プラズマのインピーダンスは、ソースガスの種類、温度、圧力を含む多様な変数によって決定されるため、チャンバーのインピーダンスは、工程が進行される間において持続的に変化する。したがって、プラズマ工程におけるインピーダンス整合は、キャパシターやインダクタで構成される回路を有するマッチング回路によって、変化するチャンバーのインピーダンスを補償する方式で行われる。
【０００４】
しかし、このように靜電容量や誘導容量を調節してインピーダンスを補償する方式では、応答速度に限界があるため、インピーダンス整合に遅延時間（ｔｉｍｅ  ｄｅｌａｙ）が発生する。特に、工程の初期において、プラズマが生成されながら、チャンバーのインピーダンスが大幅に変わる場合、インピーダンスが急激に変化する。この場合、チャンバーのインピーダンス変化に速やかに対応できないため、発生する反射波等によって、チャンバーにアークが発生し、チャンバー内のプラズマの密度に偏りが生じる。
【先行技術文献】
【特許文献】
【０００５】
【特許文献１】国際公開第１９９９／０１４８５５号パンフレット
【発明の概要】
【発明が解決しようとする課題】
【０００６】
本発明が解決しようとする課題は、速やかにインピーダンス整合を遂行する基板処理装置及びインピーダンスマッチング方法を提供することである。
【０００７】
また、本発明が解決しようとする他の課題は、広い周波数帯域の高周波電力に対してインピーダンス整合を遂行する基板処理装置及びインピーダンスマッチング方法を提供することである。
【０００８】
本発明が解決しようとする課題は、上述した課題に制限されるものではなく、言及されなかった課題は、本明細書及び添付された図面から、本発明が属する技術分野で通常の知識を有する者に明確に理解され得る。
【課題を解決するための手段】
【０００９】
本発明は基板処理装置を提供する。
【００１０】
本発明の一実施形態による基板処理装置は、高周波電力を発生させる高周波電源と、前記高周波電力を利用してプラズマ工程を遂行する工程チャンバーと、前記工程チャンバーの変化するインピーダンスを補償するマッチング回路と、前記工程チャンバーと前記マッチング回路との間に配置されて前記工程チャンバーのインピーダンスを減衰させるトランスフォーマと、を含む。
【００１１】
前記トランスフォーマは、ルスロフ（Ｒｕｔｈｒｏｆｆ）型トランスフォーマであり得る。
【００１２】
前記ルスロフ型トランスフォーマは、インピーダンス変換比が１：４のアンアン（ｕｎｂａｌａｎｃｅｄ−ｔｏ−ｕｎｂａｌａｎｃｅｄ：不平衡−不平衡）トランスフォーマであり得る。
【００１３】
前記基板処理装置は、前記工程チャンバーのインピーダンスを測定するインピーダンス測定器と、反射電力を測定する反射電力測定器と、前記インピーダンス測定器及び前記反射電力測定器の測定値に基づいて前記マッチング回路を制御する制御器と、をさらに包含できる。
【００１４】
前記マッチング回路は、互いに並列に配置される複数のキャパシター及び前記複数のキャパシターに各々連結された複数のスイッチを含み、前記制御器は、前記測定値に基づいて制御信号を生成し、前記マッチング回路は、前記制御信号にしたがって前記複数のスイッチを開閉することができる。
【００１５】
前記マッチング回路は、逆Ｌタイプ（ｉｎｖｅｒｓｅ−Ｌ−ｔｙｐｅ）の回路であり得る。
【００１６】
前記工程チャンバーは、前記プラズマ工程が遂行される空間を提供するハウジング及び前記高周波電力を利用して前記ハウジングにプラズマを提供するプラズマ発生器を包含できる。
【００１７】
前記プラズマ発生器は、前記ハウジングの内部に互いに離隔されて配置される複数の電極を含む容量結合形プラズマ（ＣＣＰ：Ｃａｐａｃｉｔｉｖｅｌｙ  ｃｏｕｐｌｅｄｐｌａｓｍａ）発生器であり得る。
【００１８】
前記高周波電源、前記マッチング回路及び前記トランスフォーマは、複数であり、前記高周波電源は、互いに異なる周波数の高周波電力を発生させ、前記複数の電極には、前記互いに異なる周波数の高周波電力が印加され、前記高周波電力が印加される電極毎に前記マッチング回路及び前記トランスフォーマが連結され得る。
【００１９】
本発明はインピーダンスマッチング方法を提供する。
【００２０】
本発明の一実施形態によるインピーダンスマッチング方法は、高周波電力を利用してプラズマ工程を遂行する基板処理装置においてインピーダンスをマッチングする方法であって、マッチング回路と工程チャンバーの間に配置されたトランスフォーマが、前記プラズマ工程が進行される間における工程チャンバーのインピーダンスの変化量を減衰し、前記マッチング回路が減衰されたインピーダンスの変化量を補償してインピーダンス整合を遂行する。
【００２１】
前記トランスフォーマは、インピーダンス変換比が１：４のトランスフォーマであり、前記マッチング回路は、前記工程チャンバーのインピーダンスの変化量の１／４を補償してインピーダンス整合を遂行できる。
【発明の効果】
【００２２】
本発明によれば、マッチング回路がトランスフォーマを通じて減衰されたインピーダンス変化量を補償することによって、工程チャンバーにおいてインピーダンスが大幅に変化した場合でも、速やかにマッチングが可能となる。
【００２３】
本発明によれば、インピーダンス整合が速やかに行われるため、遅延時間が減少し、反射波を除去できる。その結果、工程チャンバーにおけるアーク放電等を除去でき、工程の効率を向上できる。
【００２４】
本発明によれば、ルスロフ型トランスフォーマを利用するたね、広い帯域幅の多様な周波数の高周波電力に対してインピーダンスを整合することができる。
【００２５】
本発明の効果は、上述した効果に制限されるものではなく、言及されなかった効果は本明細書及び添付された図面から、本発明が属する技術分野で通常の知識を有する者に明確に理解され得る。
【図面の簡単な説明】
【００２６】
【図１】本発明の一実施形態に係る基板処理装置の概略図である。
【図２】図１の基板処理装置の概略構成図である。
【図３】図２のマッチング回路の概略回路図である。
【図４】図２のマッチング回路の他の実施形態の概略回路図である。
【図５】図２のマッチング回路のさらに他の実施形態の概略回路図である。
【図６】図２のトランスフォーマの概略回路図である。
【図７】図６のトランスフォーマの平面図である。
【図８】図６のトランスフォーマが複数個連結された様子を示した図面である。
【図９】図６のトランスフォーマによる電流の変化に関するグラフである。
【図１０】図６のトランスフォーマによる電圧の変化に関するグラフである。
【図１１】図６のトランスフォーマによるインピーダンスの変化に関するグラフである。
【図１２】図１の基板処理装置の変形例の構成図である。
【図１３】図１の基板処理装置の変形例の構成図である。
【図１４】図１の基板処理装置の変形例の構成図である。
【図１５】図１４の基板処理装置におけるインピーダンス整合の様子を示したグラフである。
【発明を実施するための形態】
【００２７】
本明細書で使用される用語と添付された図面は、本発明を容易に説明するためのものであり、本発明が用語と図面とによって限定されるものではない。
【００２８】
本発明に利用される技術の中で、本発明の思想と密接な関連がない公知の技術に関する詳細な説明は省略する。
【００２９】
以下では、本発明の一実施形態による基板処理装置１００に関して説明する。
【００３０】
基板処理装置１００は、プラズマ工程を遂行する。プラズマ工程は、プラズマ蒸着工程、プラズマ蝕刻工程、プラズマアッシング工程、プラズマクリーニング工程等であり得る。このようなプラズマ工程において、プラズマは、ソースガスに高周波電力を加えて形成され得る。勿論、本発明による基板処理装置１００は、上述した例以外にも多様なプラズマ工程を遂行できる。
【００３１】
ここで、基板は、半導体素子や平板ディスプレイ（ＦＰＤ：ｆｌａｔ  ｐａｎｅｌ  ｄｉｓｐｌａｙ）及びその他の薄膜に回路パターンが形成された物の製造に利用される基板を全て含む包括的な概念である。
【００３２】
図１は、本発明の一実施形態に係る基板処理装置１００の概略図である。
【００３３】
図１を参照すれば、基板処理装置１００は、工程チャンバー１０００、高周波電源２０００、インピーダンスマッチング装置３０００、及び伝送ラインを包含できる。工程チャンバー１０００は、高周波電力を利用してプラズマ工程を遂行する。高周波電源２０００は、高周波電力を発生させる。伝送ラインは、高周波電源２０００と工程チャンバー１０００とを連結して工程チャンバー１０００へ高周波電力を伝送する。インピーダンスマッチング装置３０００は、高周波電源２０００と工程チャンバー１０００との間でインピーダンスをマッチング（整合）させる。
【００３４】
以下では、本発明の一実施形態による基板処理装置１００に関して説明する。
【００３５】
図２は、図１の基板処理装置１００の概略構成図である。
【００３６】
工程チャンバー１０００は、ハウジング１１００及びプラズマ発生器１２００を含む。
【００３７】
ハウジング１１００は、プラズマ工程が遂行される空間を提供する。
【００３８】
プラズマ発生器１２００は、ハウジング１１００へプラズマを提供する。プラズマ発生器１２００は、ソースガスに高周波電力を加えてプラズマを生成する。
【００３９】
プラズマ発生器１２００としては、容量結合形プラズマ発生器（ＣＣＰＧ：ｃａｐａｃｉｔｉｖｅｌｙ  ｃｏｕｐｌｅｄ  ｐｌａｓｍａ  ｇｅｎｅｒａｔｏｒ）１２００ａが使用され得る。容量結合形プラズマ発生器１２００ａは、ハウジング１１００の内部に位置する複数の電極を包含できる。
【００４０】
例えば、容量結合形プラズマ発生器１２００ａは、第１電極１２１０と第２電極１２２０とを包含できる。第１電極１２１０は、ハウジング１１００の内部の上部に配置され、第２電極１２２０は、ハウジング１１００の内部の下部に配置され、第１電極１２１０と第２電極１２２０とは、互いに平行に上下に配置され得る。両電極１２１０、１２２０のうち、いずれか１つへ伝送ライン１１０を通じて高周波電力が印加され、他の１つは接地され得る。高周波電力が印加されると、第１電極１２１０と第２電極１２２０との間に電場が形成される。両電極１２１０、１２２０の間にあるソースガスは、電場から電気エネルギーを受けてイオン化され、プラズマ状態に成り得る。このようなソースガスは、外部のガス供給源（図示せず）からハウジング１１００へ流入され得る。
【００４１】
高周波電源２０００は、高周波電力を発生させる。ここで、高周波電源２０００は、高周波電力をパルスモードで発生させ得る。高周波電源２０００は、特定周波数の高周波電力を発生させ得る。例えば、高周波電源２０００は、周波数が２Ｍｈｚ、１３．５６Ｍｈｚ、１００Ｍｈｚなどの高周波電力を発生させ得る。勿論、高周波電源２０００は、上述した周波数以外の他の周波数の高周波電力を発生させることもあり得る。
【００４２】
伝送ライン１１０は、高周波電源２０００から工程チャンバー１０００へ高周波電力を伝送する。
【００４３】
このように、伝送ライン１１０を通じて高周波電力が伝送される際に、その電力の送信側と受信側とのインピーダンスが不一致となる場合には、反射波が発生して反射電力が発生し得る。高周波電力の場合には、その伝送過程でキャパシターやインダクタのような非消耗性回路において遅延電力が発生し、位相差によって反射波が発生する。このような反射波が発生すれば、電力の伝送効率が低下するのみでなく、高周波電源２０００から工程チャンバー１０００へ伝達される電力が不均一になる。その結果、不均一なプラズマが生成されるか、或いはプラズマを均一な密度に維持することが難しくなる。また、工程チャンバー１０００に反射波が蓄積されれば、アーク放電を誘発して基板Ｓに直接的な損傷を与えることがあり得る。
【００４４】
インピーダンスマッチング装置３０００は、インピーダンスをマッチングすることができる。インピーダンスがマッチングされれば、反射波が発生せず、電力が効率的に伝送され得る。
【００４５】
インピーダンスマッチング装置３０００は、マッチング回路３１００、トランスフォーマ（変成器またはトランス）３２００、制御器３３００、インピーダンス測定器３４００、及び反射電力測定器３５００を包含できる。
【００４６】
マッチング回路３１００は、工程チャンバー１０００側と高周波電源２０００側とのインピーダンスをマッチングさせる。マッチング回路３１００は、キャパシターやインダクタのような回路素子を含む。マッチング回路３１００の回路素子は、その全部や一部が可変回路素子であり得る。
【００４７】
図３は、図２のマッチング回路の概略回路図である。
【００４８】
本実施形態において、マッチング回路３１００は、可変キャパシター３１１０とインダクタ３１２０とから構成され得る。図３を参照すれば、可変キャパシター３１１０は、Ｉｎ端子とＯｕｔ端子とを結ぶ伝送ラインに並列に連結され、インダクタ３１２０は直列に連結され得る。このようなマッチング回路３１００は、可変キャパシター３１１０の靜電容量を調節してインピーダンスをマッチングすることができる。
【００４９】
可変キャパシター３１１０は、複数のキャパシター３１１１及び複数のスイッチ３１１２を包含できる。複数のキャパシター３１１１は、互いに並列に連結され得る。複数のスイッチ３１１２は、複数のキャパシター３１１１の各々に連結され、後述する制御器３３００の制御にしたがって開閉（オンオフ）され得る。
【００５０】
スイッチ３１１２は、制御器３３００からの制御信号にしたがってキャパシター３１１１と高周波伝送ラインとの短絡を調節する。複数のキャパシター３１１１は、各々のキャパシター３１１１の短絡を調節するスイッチ３１１２に連結される。例えば、制御器３３００は各スイッチ３１１２の開閉を制御する制御信号を送信し、スイッチ３１１２はこれによって各キャパシター３１１１の短絡を調節することができる。
【００５１】
このようなスイッチ３１１２としては、デジタルスイッチが使用され得る。例えば、スイッチ３１１２としては、高周波リレー（ＲＦ  ｒｅｌａｙ）、ＰＩＮダイオード（ＰＩＮ  ｄｉｏｄｅ）、ＭＯＳＦＥＴ（ｍｅｔａｌ−ｏｘｉｄｅ  ｓｅｍｉｃｏｎｄｕｃｔｏｒ  ｆｉｅｌｄ  ｅｆｆｅｃｔ  ｔｒａｎｓｉｓｔｏｒ）等が利用され得る。このようなデジタルスイッチはオンオフ（ＯＮ／ＯＦＦ）信号にしたがってそれに対応するキャパシター３１１０を短絡させるので、機械的に駆動されるスイッチに比べて速い応答速度でインピーダンスを補償できる。したがって、インピーダンス整合の応答速度が向上され、遅延時間が減少し、その結果、反射波を除去できる。
【００５２】
このような可変キャパシター３１１０の靜電容量は、スイッチ３１１２の状態の組み合わせによって決定され得る。即ち、可変キャパシター３１１０の靜電容量は、並列に連結されたキャパシター３１１１の中で、連結されたスイッチ３１１２が閉じているキャパシター３１１１の靜電容量の和によって決定され得る。
【００５３】
ここで、複数のキャパシター３１１１は、全て同一の靜電容量を有することができる。又は複数のキャパシター３１１１は、その靜電容量の比が各々１：２：３：…：ｎになるように提供され得る。或いは、複数のキャパシター３１１１は、その靜電容量の比が１：２１：２２：…：２ｎになるように提供され得る。
【００５４】
可変キャパシター３１１０の総靜電容量は、連結されたキャパシター３１１１の和の組み合わせであるので、キャパシター３１１１が上述した数値のような静電容量を有すれば、可変キャパシター３１１０の靜電容量を容易に制御し、広い範囲の静電容量に対応することができる。
【００５５】
以上では、１つの可変キャパシター３１１０とインダクタ３１２０とから構成されたマッチング回路３１００に関して説明したが、マッチング回路３１００を構成する回路素子の種類、数、連結関係は、これと異なり得る。
【００５６】
図４は、図２のマッチング回路の他の実施形態の概略回路図であり、図５は図２のマッチング回路のさらに他の実施形態の概略回路図である。
【００５７】
図４を参照すれば、マッチング回路３１００は、Ｉｎ端子とＯｕｔ端子とを結ぶ伝送ラインに並列に連結される可変キャパシター３１１０ａと、直列に連結されるキャパシター３１１０ｂ及びインダクタ３１２０とを含む、Ｌタイプ（Ｌ  ｔｙｐｅ：Ｌ型）の回路として具現され得る。なお、図５を参照すれば、マッチング回路３１００は、伝送ラインに直列に連結されるインダクタ３１２０と、並列に連結される可変キャパシター３１１０ａ及びキャパシター３１１０ｂとを含むパイタイプ（π  ｔｙｐｅ：パイ型）の回路としても具現され得る。勿論、マッチング回路３１００は、上述した例以外にも、逆Ｌタイプ（ｉｎｖｅｒｓｅ  Ｌ  ｔｙｐｅ：逆Ｌ型）の回路、多様な公知の回路、または必要によって適切に変更された回路として具現され得る。
【００５８】
トランスフォーマ３２００は、伝送ライン上に設置されて入力側と出力側とのインピーダンスを変換する。
【００５９】
図６は、図２のトランスフォーマの概略回路図であり、図７は、図６のトランスフォーマの平面図である。
【００６０】
図６を参照すれば、トランスフォーマ３２００としては、ルスロフ型トランスフォーマ（Ｒｕｔｈｒｏｆｆ  ｔｒａｎｓｆｏｒｍｅｒ：ルスロフ型伝送線路トランス）が使用され得る。ルスロフ型トランスフォーマは、広い帯域幅に対してインピーダンス変換が可能であり、伝送効率に優れるという長所がある。図６及び図７は、インピーダンス変換比１：４のアンアン（ｕｎｂａｌａｎｃｅｄ−ｔｏ−ｕｎｂａｌａｎｃｅｄ：不平衡−不平衡）ルスロフ型トランスフォーマを図示している。図７に示したように、インピーダンス変換比１：４のルスロフ型トランスフォーマ（１：４ルスロフ型トランスフォーマ）は、ブートストラップ原理を利用して撚線を環形のコアに巻いて製作できる。この時、第１番目のコイルＬ１と第２番目のコイルＬ２との値が同一である場合には、入力側に対する出力側のインピーダンスの変換比が１：４になる。
【００６１】
このようなルスロフ型トランスフォーマにおいて、コアに巻く撚線の数を増加させれば、インピーダンスの変換比が変化する。ルスロフ型トランスフォーマは、３つの撚線である場合には、インピーダンス変換比１：２．２５のアンアントランスフォーマとして作動し、４つの撚線である場合には１：１．７８のインピーダンス変換比を有するようになる。
【００６２】
一方、このようなルスロフ型トランスフォーマを直列に連結すれば、さらに大きい変換比を有することができる。
【００６３】
図８は、図６のトランスフォーマが複数個連結された様子を示した図面である。
【００６４】
図８を参照すれば、１：４アンアンルスロフ型トランスフォーマ２つを直列に配置すると、入力側に対する１次出力側のインピーダンス変換比が１：４になり、１次出力側に対する最終出力側のインピーダンス変換比がさらに１：４になるので、結局、入力側に対する最終出力側のインピーダンス変換比は１：１６になる。
【００６５】
基板処理装置１００においては、伝送ラインが高周波電源２０００から工程チャンバー１０００に連結され、その間にマッチング回路３１００とトランスフォーマ３２００とが連結され得る。即ち、伝送ラインは、高周波電源２０００、マッチング回路３１００、トランスフォーマ３２００、及び工程チャンバー１０００を順に連結することができる。
【００６６】
したがって、トランスフォーマ３２００を基準にすると、トランスフォーマ３２００の入力側には高周波電源２０００とマッチング回路３１００とが置かれ、出力側には工程チャンバー１０００が置かれ得る。したがって、トランスフォーマ３２００は、工程チャンバー１０００側のインピーダンスを減衰させ得る。
【００６７】
一般的に、高周波電源２０００は、固定されたインピーダンス、例えば５０Ω（Ｏｈｍ）を有する。一方、工程チャンバー１０００は、プラズマ工程が進行される過程において、数Ω（Ｏｈｍ）から３００Ω（Ｏｈｍ）程度のインピーダンスを有する。このような工程チャンバー１０００のインピーダンスは、トランスフォーマ３２００を経て入力側に伝達される際に、１：４アンアントランスフォーマの場合には、約７０Ω（Ｏｈｍ）に減衰される。その結果、トランスフォーマ３２００の入力側に連結されたマッチング回路３１００は、工程チャンバー１０００のインピーダンスが数百Ω（Ｏｈｍ）程度の大きな幅で変化した場合でも、トランスフォーマ３２００の変換比にしたがって減少されたインピーダンスを調節すればよい。それによって、工程チャンバー１０００と高周波電源２０００との間のインピーダンスを整合することができる。
【００６８】
特に、プラズマ工程の初期においては、工程チャンバー１０００にはパルスモードの電力が供給されつつ、高速のパルスによってプラズマが生成され、インピーダンスが大幅に変化する。その場合、マッチング回路３１００は、トランスフォーマ３２００によって変化幅が減衰されたインピーダンスを補償してインピーダンスを整合すればよいため、インピーダンスの整合速度が向上され得る。
【００６９】
図９は、図６のトランスフォーマによる電流の変化に関するグラフであり、図１０は、図６のトランスフォーマによる電圧の変化に関するグラフであり、図１１は図６のトランスフォーマによるインピーダンスの変化に関するグラフである。
【００７０】
図９乃至図１０を参照すれば、１：４アンアンルスロフ型トランスフォーマを使用した場合において、周波数２Ｍｈｚの高周波電力を使用した場合、工程チャンバー１０００側に比べて、高周波電源２０００側の電流と電圧の値は２倍に増加し、インピーダンスは１／４に減衰されていることが分かる。
【００７１】
但し、トランスフォーマ３２００は、必ずしも上述した例に限定されるものではなく、ルスロフ型トランスフォーマは、それと同一又は類似する他の機能を遂行するトランスフォーマで代替されてもよい。
【００７２】
制御器３３００は、インピーダンス測定器３４００及び反射電力測定器３５００の測定値に基づいて、インピーダンスを補償するための制御信号を生成し、これをマッチング回路３１００へ送出してマッチング回路３１００を制御する。ここで、インピーダンス測定器３４００は、工程チャンバー１０００のインピーダンスを測定し、その測定値を制御器３３００へ送信する。また、反射電力測定器３５００は、反射波による反射電力を測定し、その測定値を制御器３３００へ送信する。
【００７３】
例えば、制御信号は、マッチング回路３１００の複数のスイッチ３１１２を開閉（オンオフ）する制御信号であり得る。マッチング回路３１００では、制御信号にしたがってスイッチ３１１２が開閉されることにより、その靜電容量が調節され得る。
【００７４】
このような制御器３３００は、ハードウェア、ソフトウェア又はこれらの組合を利用してコンピューター又はこれと類似な装置によって具現され得る。
【００７５】
ハードウェアとしては、制御器３３００は、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー（ｐｒｏｃｅｓｓｏｒｓ）、マイクロコントローラ（ｍｉｃｒｏ−ｃｏｎｔｒｏｌｌｅｒｓ）、マイクロプロセッサー（ｍｉｃｒｏｐｒｏｃｅｓｓｏｒｓ）やこれらと類似な制御機能を遂行する電気的な装置によって具現され得る。
【００７６】
また、ソフトウェアとしては、制御器３３００は、１つ以上のプログラム言語で書かれたソフトウェアコード又はソフトウェアアプリケーションによって具現され得る。ソフトウェアは、ハードウェアとして具現された制御部によって実行され得る。尚、ソフトウェアは、サーバー等の外部機器から、上述したハードウェア構成に送信されることによって導入され得る。
【００７７】
以上では、単一の周波数の高周波電力が印加される容量結合形プラズマ発生器１２００ａを具備する工程チャンバー１０００を基準として、基板処理装置１００に関して説明したが、基板処理装置１００は、これと異なって構成されることもあり得る。
【００７８】
図１２乃至図１４は、図１の基板処理装置の変形例の構成図である。
【００７９】
図１２を参照すれば、基板処理装置１００において、工程チャンバー１０００には、容量結合形プラズマ発生器１２００ａの代わりに、誘導結合プラズマ発生器（ＩＣＰＧ：ｉｎｄｕｃｔｉｖｅｌｙ  ｃｏｕｐｌｅｄ  ｐｌａｓｍａ  ｇｅｎｅｒａｔｏｒ）１２００ｂが使用され得る。誘導結合形プラズマ発生器１２００ｂは、工程チャンバー１０００へソースガスが流入される部分に設置され、誘導電場を形成できる。これによって、工程チャンバー１０００へ流入されるソースガスは、誘導電場によってイオン化され、プラズマ状態に成り得る。
【００８０】
また、基板処理装置１００において、工程チャンバー１０００は、同時に互いに異なる周波数の高周波電力を利用してプラズマ工程を遂行できる。プラズマエッチング工程の場合には、複数の互いに異なる高周波電力を使用してプラズマ工程を遂行すれば、単一の周波数の高周波電力を利用する場合より優れたエッチング効果を得られる。
【００８１】
図１３を参照すれば、基板処理装置１００において、容量結合形プラズマ発生器１２００ａの両電極１２１０ａ、１２１０ｂは、各々互いに異なる周波数の高周波電力を発生させる２つの高周波電源２０００ａ、２０００ｂに各々連結され得る。これによって、第１電極１２１０ａと第２電極１２１０ｂには、互いに異なる高周波電力が印加され、同時に２つの互いに異なる周波数の高周波電力を利用してプラズマ工程を進行することができる。
【００８２】
図１４を参照すれば、基板処理装置１００では、３つ以上の互いに異なる周波数を利用することもできる。例えば、工程チャンバー１０００には、ハウジング１１００内の上部に第１電極１２１０ａが配置され、その下に離隔されて第２電極１２１０ｂと第３電極１２１０ｃとが配置され得る。この時、互いに異なる第１高周波電力、第２高周波電力、第３高周波電力を発生させる高周波電源２０００ａ、２０００ｂ、２０００ｃが各々電極１２１０ａ、１２１０ｂ、１２１０ｃに連結され得る。これによって、工程チャンバー１０００では、同時に３つの高周波電力によってプラズマ工程が遂行できる。例えば、第１高周波電力、第２高周波電力、第３高周波電力の周波数は、各々２Ｍｈｚ、１３．６Ｍｈｚ、１００Ｍｈｚであり得る。一方、場合によっては第２電極１２１０ｂと第３電極１２１０ｃとが一体として提供され得る。
【００８３】
このように、同時に広い帯域幅の周波数を利用する場合には、インピーダンスの変化を予測するのが難しく、また帯域幅が異なるため、インピーダンスを整合するのが難しい。この場合、ルスロフ型トランスフォーマは、広い帯域幅に対してインピーダンス変換が可能であるため、効果的に利用され得る。
【００８４】
図１５は、図１４の基板処理装置におけるインピーダンス整合の様子を示したグラフである。
【００８５】
図１５を参照すれば、１：４アンアンルスロフ型トランスフォーマを利用する場合に、周波数２Ｍｈｚ、１３．６Ｍｈｚ、１００Ｍｈｚの３つの帯域幅において同時に、インピーダンスが、高周波電源２０００側の固定インピーダンスである５０Ω（Ｏｈｍ）に整合されていることが分かる。
【００８６】
以下では、本発明による基板処理装置１００を利用したインピーダンスマッチング方法に関して説明する。但し、インピーダンスマッチング方法は、上述した基板処理装置１００以外にも、これと同一又は類似な他の装置を利用して遂行できる。また、このようなインピーダンスマッチング方法は、これを遂行するコード又はプログラムの形態としてコンピューター読出し可能記録媒体に格納され得る。
【００８７】
インピーダンスマッチング方法では、先ずガス供給源（図示せず）から工程チャンバー１０００へソースガスが流入される。ソースガスが流入されると、高周波電源２０００が高周波電力を発生させ、伝送ラインを通じて高周波電力がプラズマ発生器１２００へ伝送される。プラズマ発生器１２００は、高周波電力を利用してソースガスをイオン化させてプラズマを形成する。プラズマが形成されると、工程チャンバー１０００は、プラズマを利用して基板を処理する。このように、プラズマを生成し基板を処理する過程において、基板から発生する異物質や、プラズマの密度、ソースガスの種類、工程チャンバー１０００の内部温度や内部圧力等の多様な工程条件によって、プラズマインピーダンス又は工程チャンバー１０００のインピーダンスは変化する。特に、パルスモードで高周波電力を供給するプラズマ工程の初期においては、そのインピーダンスが急激に変化する。
【００８８】
インピーダンス測定器３４００は、工程チャンバー１０００のインピーダンスを測定し、その測定値を制御器３３００へ送信する。また、インピーダンスが変化することによってインピーダンス整合が失われて反射波が発生することがあるため、反射電力測定器３５００は、高周波電源２０００側の反射電力を測定し、その測定値を制御器３３００へ送信する。
【００８９】
制御器３３００は、インピーダンス測定器３４００及び反射電力測定器３５００から測定値を取得して制御信号を生成し、生成された制御信号をマッチング回路３１００へ送信する。
【００９０】
マッチング回路３１００においては、複数のスイッチ３１１２が制御信号にしたがって開かれるか、或いは閉められる。可変キャパシター３１１０は、その靜電容量が、複数のスイッチ３１１２の中で閉められたスイッチ３１１２に連結されたキャパシター３１１１の靜電容量の和によって調節される。これによって、高周波電源２０００側と工程チャンバー１０００側とのインピーダンス整合が遂行できる。但し、マッチング回路３１００の回路構成は、可変キャパシター３１１０に限定されるものではなく、他の構成である場合にも、これと同様に制御信号にしたがってインピーダンスを補償して整合できる。
【００９１】
このようなインピーダンスの整合過程において、制御器３３００は、デジタル信号による制御信号を送信する。そして、ダイオードやトランジスター等で具現されたデジタル方式のスイッチ３１１２は、デジタル信号による制御信号にしたがってオンオフされるため、機械的な駆動方式のスイッチに比べて迅速にインピーダンスを補償できる。
【００９２】
ここで、マッチング回路３１００は、実際に工程チャンバー１０００で変化するインピーダンスの変化量の代わりに、トランスフォーマ３２００を経て減衰されたインピーダンスの変化量を補償することにより、インピーダンスをマッチングすることができる。トランスフォーマ３２００は、マッチング回路３１００と工程チャンバー１０００との間に配置され、マッチング回路３１００側に対して工程チャンバー１０００のインピーダンスを減衰させ得る。１：４アンアンルスロフ型トランスフォーマが使用される場合、工程チャンバー１０００のインピーダンスは、１／４に減衰される。したがって、マッチング回路３１００は、工程チャンバー１０００のインピーダンス変化量の１／４大きさのインピーダンスを補償することにより、インピーダンスをマッチングすることができる。
【００９３】
特に、プラズマ工程の初期において、パルスモードで電力が供給される過程では、工程チャンバー１０００のインピーダンスが急激に変化するため、マッチング回路３１００がデジタル方式のスイッチを使用しても、最小限の遅延時間が発生する。そのため、このようにインピーダンスの変化幅を減衰させることにより、マッチング回路３１００の応答速度が向上でき、反射波の発生を最少化することができる。
【００９４】
以上で言及された本発明の実施形態は、本発明が属する技術分野で通常の知識を有する者の本発明に対する理解を助けるために記載されたものであるので、本発明が上述した実施形態によって限定されるものではない。
【００９５】
したがって、本発明は、上述した実施形態及びその構成要素を選択的に組み合わせるか、公知の技術を加えて具現でき、さらに本発明の技術的思想を逸脱しない範囲内で修正、置換及び変更された形態の全てを含む。
【００９６】
また、本発明の保護範囲は下の特許請求の範囲によって解釈されなければならす、それと均等な範囲内にある発明は全て権利範囲に含まれるものとして解釈されなければならない。
【符号の説明】
【００９７】
１００  基板処理装置、
１１０  伝送ライン、
１０００  工程チャンバー、
１１００  ハウジング、
１２００  プラズマ発生器、
１２１０  電極、
２０００  高周波電源、
３０００  インピーダンスマッチング装置、
３１００  マッチング回路、
３２００  トランスフォーマ、
３３００  制御器、
３４００  インピーダンス測定器、
３５００  反射電力測定器。
【図１】
2013098177.tif 000003
【図２】
2013098177.tif 000004
【図３】
2013098177.tif 000005
【図４】
2013098177.tif 000006
【図５】
2013098177.tif 000007
【図６】
2013098177.tif 000008
【図７】
2013098177.tif 000009
【図８】
2013098177.tif 000010
【図９】
2013098177.tif 000011
【図１０】
2013098177.tif 000012
【図１１】
2013098177.tif 000013
【図１２】
2013098177.tif 000014
【図１３】
2013098177.tif 000015
【図１４】
2013098177.tif 000016
【図１５】
2013098177.tif 000017